(57)【特許請求の範囲】
【請求項１】
供給ライン（１８）が接続され、挿入可能な医療装置（１０）において、
この供給ライン（１８）は、少なくとも一部で前記医療装置（１０）により留められ、この結果、前記供給ライン（１８）は、留め部分（β）でこの医療装置（１０）もしくは医療装置（１０）の一部に当接し、この留め部分（β）は、前記医療装置（１０）の周囲の少なくとも一部に沿って延び、前記供給ライン（１８）が中に挿入されている円弧状の溝を有しており、この溝は、前記留め部分（β）に沿って延び、前記供給ラインと接触するような歯もしくはリブが形成された面を有していることを特徴とする医療装置。
【請求項２】
前記供給ライン（１８）は、電気ケーブルであることを特徴とする請求項１の挿入可能な医療装置。
【請求項３】
前記医療装置（１０）は、心臓ペースメーカであることを特徴とする請求項２の挿入可能な医療装置。
【請求項４】
前記供給ライン（１８）は、チューブであることを特徴とする請求項１の挿入可能な医療装置。
【請求項５】
前記医療装置（１０）は、挿入可能な輸液ポンプであることを特徴とする請求項４の挿入可能な医療装置。
【請求項６】
前記供給ライン（１８）は、医療装置（１０）からダクト（２８）を介して導かれることを特徴とする請求項１乃至５のいずれか１の挿入可能な医療装置。
【請求項７】
前記溝は、前記供給ライン（１８）の直径よりも狭いことを特徴とする請求項１の挿入可能な医療装置。
【請求項８】
前記供給ライン（１８）は、前記医療装置（１０）のカバー（２６）の下に置かれることを特徴とする請求項１乃至７のいずれか１の挿入可能な医療装置。
【請求項９】
前記供給ライン（１８）の断面は、径が弾性的に変形されることを特徴とする請求項８の挿入可能な医療装置。
【請求項１０】
前記円弧状の溝は、同方向に湾曲した側面により規定されていることを特徴とする請求項１乃至９のいずれか１の挿入可能な医療装置。
【発明の詳細な説明】
【０００１】
【産業上の利用分野】
本発明は、請求項１の上位概念に記した構成を有し、人間もしくは動物中に挿入（植え付け）可能な医療装置に関する。
【０００２】
【従来の技術】
挿入可能な輸液ポンプは上記のような医療装置の一例である。この輸液ポンプは体内の所望の位置に薬を投与するための出口カテーテルを具備する。また、これらポンプは薬を再充填するための充填ダクトを有する。挿入可能な支持体の移動により、ダクトもしくはカテーテルは挿入可能な装置に対して移動し、引張り力がダクトもしくはカテーテルに作用し、医療装置のダクトもしくはカテーテルの接続点に歪みを与える。これら力は、ダクトもしくはカテーテルと医療装置との接続が不良となるような大きさである。この結果、挿入可能な支持体の体中の意図しない位置に制御されないで薬を射出し、計算できない健康上のリスクを負うことになる。
【０００３】
医療装置の他の例は、電線がキャリヤーの心臓に導かれる心臓ペースメーカである。ここでもまた、電線と心臓ペースメーカとの間の接続点に、挿入可能な支持体の移動により歪みが発生し、電線は断線される。従って、少なくとも心臓ペースメーカは機能を発揮することができなくなる。
【０００４】
ＤＥ４２２１３９０Ｃ１には、刺すことにより挿入するためのポートカテーテルが開示されている。カテーテルの挿入の後に支持される止めループがハウジングに設けられている。既知のカテーテルの供給ラインは、軸方向外方に延出している。
【０００５】
ＤＥ−ＡＳ２１２４０６２には、流体絞りとして形成された毛細管を有する挿入可能な輸液ポンプが開示されている。スペースの関係で、この毛細管は螺旋ばねのようにして巻かれて、輸液ポンプのチューブソケットを緩く囲んでいる。
【０００６】
【発明が解決しようとする課題】
かくして、本発明の問題は、引張り力が供給ラインに働き、抗力が医療装置に働いたときに医療装置への供給ラインの接続点の破断が助けられて接続断線が防止できるように、挿入可能な医療装置へ供給ラインを取着することである。
【０００７】
この問題は、請求項１の態様によって、本発明に従って解決される。
【０００８】
本発明は、供給ラインが接続され、挿入可能な医療装置において、この供給ラインは、少なくとも一部で前記医療装置により留められ、この結果、前記供給ラインは、留め部分でこの医療装置もしくは医療装置の一部に当接し、この留め部分は、前記医療装置の周囲の少なくとも一部に沿って延び、前記供給ラインが中に挿入されている円弧状の溝を有しており、この溝は、前記留め部分に沿って延び、前記供給ラインと接触するような歯もしくはリブが形成された面を有していることを特徴とする。
【０００９】
本発明に係われば、供給ラインは自身で装置を留め（抱き締め）るか、装置に１もしくは複数の位置で、特に設けられかつ装着された留め部分を有する。供給ラインに働く引張り力は、供給ラインの留め部分と医療装置との間の摩擦により医療装置に一部もしくは全部が伝達される。この結果、供給ラインの接続点は部分的もしくは全体的に助けられる。かくして、医療装置からの供給ラインの断線は防止される。この留め部分はピンもしくはプラグで良い。
【００１０】
医療装置の周囲の一部の周りへの留め部分の主留めは接続点を助け、個々の例で充分で有る。接続点の比較的大きなもしくは完全な助けのために、供給ラインは、例えば、医療装置の外周の半分の回りに置かれるか、医療装置を一もしく複数回完全に締め付ける（留める）。
【００１１】
供給ラインにより留められた医療装置の部分は、種々の形状を、即ち、例えば、種々角度をとり得る。留められたエッジは局部的に高い歪みが発生しないように、また供給ラインの径の収縮が少ないように丸みが付けられ得る。好ましくは、留め部は楕円形に（必ずしも円でなくて良い）丸められ得る。
【００１２】
上述したように、上記医療装置は心臓ペースメーカで良い。この場合、供給ラインは心臓ペースメーカに電気的に接続された電線である。また、医療装置は、出口カテーテルが取着された、挿入可能な輸液ポンプでも良い。このカテーテルは輸液ポンプの薬チヤンバと連通する。
【００１３】
前記供給ラインは、供給ラインに作用する引張り力により供給ラインを介して医療装置にトルクモーメントがかかること並びに医療装置から供給ラインが巻き戻されることを防止するように、挿入キャリヤの体中に置かれ、かつ医療装置から離れた供給ラインの場所で、クランプ等により医療装置に保持される。
【００１４】
供給ラインは、医療装置の溝中に挿入され得る。かくして、供給ラインは医療装置の固定位置に配置され、横方向にスリップするのが防止される。さらなる発展において、この溝は、供給ラインが溝に挿入されている間、弾性的に変形されるような狭さである。特に、カテーテルのようにチューブラインの場合、この変形は内径が最低限度で縮まり流れが確保できるように最小にする必要が有る。弾性的に変形された供給ラインは、溝の壁に当接し、この結果、供給ラインから医療装置への力の伝達が生じ、これは付加的に接続点を助ける。かくして、留め部を短くすることができる。
【００１５】
本発明の好ましい実施例において、医療装置は、この装置を留める（クラスプする）供給ラインの一部が下に位置されるカバーを有する。供給ダクトは、留めによる伝達に加えて、摩擦により供給ラインから医療装置に力を伝達するような弾性的に変形した状態で、上述した溝と同様に、カバーの下に配置され得る。
【００１６】
さらに、医療装置は、供給ラインから医療装置への力の伝達を改良するように、留め部分の表面に歯もしくはリブが形成され得る。
【００１７】
【実施の形態】
本発明は、図面に示す実施例を参照して以下に詳述される。図は、本発明に係わる、挿入可能な医療装置の断面図である。
【００１８】
図１は、本発明に係わる医療装置の一例として、人間もしくは動物の体中に挿入可能な輸液ポンプ１０の断面を示す。この輸液ポンプ１０の断面は円形である。この輸液ポンプ１０は周辺の一部に、薬チヤンバ１４中に排出する接続部分１２を有する。薬チヤンバ１４の外で、接続部分１２は、出口カテーテル１８のためのほぼ正接位置に接続ソケット１６を有する。この出口カテーテル１８は接続ソケット１６に摺接され、この位置にチューブソケット２０により支持されている。また、この出口カテーテル１８は薬チヤンバ１４と接続部分１２を介して連通している。
【００１９】
輸液ポンプ１０の接続部分１２への出口カテーテル１８の接続点の引張りに対処するために、出口カテーテル１８は薬チヤンバ１４の円筒壁２２の周囲に配置され、カパー２６に配設されボア孔として形成されたダクト２４を介して輸液ポンプ１０から延びている。このボア孔中を出口カテーテル１８は延びている。出口カテーテル１８は、出口カテーテル１８に接した３つのリングシール２８により、カバー２６にダクト２４に沿ってシールされている。このカバー２６は、これが薬チヤンバ１４の円筒壁２２を留めている領域内で出口カテーテル１８をカバーしている。
【００２０】
上記例では留め角度βは７２°である。より小さいもしくは大きい接続点に対して、上記実施例と比較してより小さいもしくは大きい留め角度が、またもし必要であれば円筒壁２２の２倍の留めがなされ得る。
【図面の簡単な説明】
【図１】本発明の実施の形態に係わる輸液ポンプを示す断面図で有る。
【符号の説明】
１０…輸液ポンプ（医療装置）、１２…接続部分、１４…薬チヤンバ、１６…接続ソケット、１８…出口カテーテル、２２…円筒壁、２４…ダクト、２６…カバー。
【図１】
0004154473.tif 000002